【事件の表示】
　特願２０１７−　６４９７７「光通信装置及び波長切替方法」拒絶査定不服審判事件〔平成３０年１１月　１日出願公開、特開２０１８−１７０５７２、請求項の数（８）〕について、次のとおり審決する。
【結　論】
　原査定を取り消す。
　本願の発明は、特許すべきものとする。
【理　由】
第１　手続きの経緯
　本願は，平成２９年３月２９日を出願日とする出願であって，その手続の経緯は以下のとおりである。
　　　令和元年１２月２３日付け　拒絶理由通知
　　　令和２年　３月　９日　　　意見書，手続補正
　　　令和２年　６月２５日付け　拒絶査定
　　　令和２年　９月１８日　　　審判請求
第２　原査定の概要
　原査定（令和２年６月２５日付け拒絶査定）の概要は次のとおりである。
　本願請求項１−８に係る発明は，引用文献１に記載された発明および引用文献２ないし４に記載の周知技術に基づいて，当業者であれば容易になし得たものであるから，特許法第２９条第２項の規定により特許を受けることができない。
　　　　　　　　　　　　＜引用文献等一覧＞
　　１.特開２０１７−４１８５６号公報
　　２.吉野　學　他，ＮＧ−ＰＯＮ２における高信頼化に関する検討，　　　　電子情報通信学会２０１７年総合大会講演論文集，
　　　日本，一般社団法人電子情報通信学会，２０１７年３月７日，
　　　Ｖｏｌ．通信２，Ｎｏ．Ｂ−８−５３，Ｐ．２２６
　　３.ＮＴＴアクセスサービスシステム研究所，新アクセスシステム
　　　アーキテクチャ（ＦＡＳＡ）ホワイトペーパーｖｅｒ２．０，
　　　日本，ＮＴＴ　Ｃｏｒｐ．，２０１７年２月２８日，
　　　ＰＰ．１−３９
　　４.特開２００７−３６９２６号公報
第３　本願発明
　本願の請求項１ないし８に係る発明（以下，「本願発明１」ないし「本願発明８」という。）は，令和２年３月９日の手続補正書により補正された以下のとおりの特許請求の範囲の請求項１ないし請求項８に記載された事項により特定されるとおりの発明である。
「【請求項１】
　複数の光信号送受信装置と，集線装置とを有する光通信装置であって，
　前記光信号送受信装置は，
　他の前記光信号送受信装置と異なる波長により，通信先の装置である通信先装置と光信号の送受信を行う光信号送受信部と，
　前記光信号送受信部が受信した前記光信号から取得したパケットを前記集線装置に出力し，前記集線装置から受信したパケットを光信号に設定して前記光信号送受信部から出力する変換部と，
　前記通信先装置とネットワークとの間の通信制御に関する機能を前記集線装置において実行するために用いられる制御用情報を保持する情報保持部とを備え，
　前記集線装置は，
　複数の前記光信号送受信装置から受信した前記パケットを集線して前記ネットワークに送信し，前記ネットワークから受信したパケットを複数の前記光信号送受信装置へ分離して出力する集線部と，
　前記通信先装置と前記ネットワークとの間の通信制御に関する機能を実行する制御部と，
　切替元の前記光信号送受信装置が用いる波長によるパケットの送受信を停止して切替先の前記光信号送受信装置が用いる波長によるパケットの送受信を行うよう制御する波長切替機能を有する外部制御装置から波長切替に関する指示を受信し，前記波長切替機能の一部を前記外部制御装置からのさらなる指示を受信せずに実行する波長切替機能部とを備え，
　前記波長切替機能部は，前記制御用情報を前記光信号送受信装置から読み出して記憶しておき，前記外部制御装置から波長切替の開始の指示を受信した場合に，切替元の前記光信号送受信装置から読み出して記憶していた前記制御用情報を，切替先の前記光信号送受信装置に書き込む，
　ことを特徴とする光通信装置。
【請求項２】
　前記波長切替機能部は，切替先の前記光信号送受信装置が使用する波長への切替を指示する波長切替指示を前記通信先装置に送信する，
　ことを特徴とする請求項１に記載の光通信装置。
【請求項３】
　前記波長切替機能部は，切替元の前記光信号送受信装置へ出力する前記パケットをバッファに書き込む処理と，前記通信先装置に波長切替指示を送信し，当該波長切替指示に対する応答を前記通信先装置から受信した場合に，前記バッファに記憶された前記パケットを切替先の前記光信号送受信装置に出力する処理とを行う，
　ことを特徴とする請求項１又は請求項２に記載の光通信装置。
【請求項４】
　複数の光信号送受信装置と，集線装置とを有する光通信装置であって，
　前記光信号送受信装置は，
　他の前記光信号送受信装置と異なる波長により，通信先の装置である通信先装置と光信号の送受信を行う光信号送受信部と，
　前記光信号送受信部が受信した前記光信号から取得したパケットを前記集線装置に出力し，前記集線装置から受信したパケットを光信号に設定して前記光信号送受信部から出力する変換部とを備え，
　前記集線装置は，
　複数の前記光信号送受信装置から受信した前記パケットを集線してネットワークに送信し，前記ネットワークから受信したパケットを複数の前記光信号送受信装置へ分離して出力する集線部と，
　前記通信先装置と前記ネットワークとの間の通信制御に関する機能を実行する制御部と，
　切替元の前記光信号送受信装置が用いる波長によるパケットの送受信を停止して切替先の前記光信号送受信装置が用いる波長によるパケットの送受信を行うよう制御する波長切替機能を有する外部制御装置から波長切替に関する指示を受信し，前記波長切替機能の一部を前記外部制御装置からのさらなる指示を受信せずに実行する波長切替機能部とを備え，
　前記波長切替機能部は，切替元の前記光信号送受信装置へ出力する前記パケットをバッファに書き込む処理と，前記通信先装置に波長切替指示を送信し，前記波長切替指示に対する応答を前記通信先装置から受信した場合に，前記バッファに記憶された前記パケットを切替先の前記光信号送受信装置に出力する処理と，前記バッファに記憶された前記パケットを切替先の前記光信号送受信装置に出力した後に，切替が終了したことを通知する処理とを行う，
　ことを特徴とする光通信装置。
【請求項５】
　前記波長切替機能部は，前記制御部が実行する前記機能に用いられる情報を前記光信号送受信装置から読み出して記憶しておき，前記外部制御装置から波長切替の開始の指示を受信した場合に，切替元の前記光信号送受信装置から読み出して記憶していた前記情報を，切替先の前記光信号送受信装置に書き込む，
　ことを特徴とする請求項４に記載の光通信装置。
【請求項６】
　前記波長切替機能部は，切替先の前記光信号送受信装置が使用する波長への切替を指示する波長切替指示を前記通信先装置に送信する，
　ことを特徴とする請求項４又は請求項５に記載の光通信装置。
【請求項７】
　前記制御部が実行する前記機能は，前記通信先装置の認証機能と，前記通信先装置と前記ネットワークとの間の通信のブリッジ機能と，前記パケットの優先制御機能と，保守機能とのうち一以上を含む，
　ことを特徴とする請求項１から請求項６のいずれか一項に記載の光通信装置。
【請求項８】
　複数の光信号送受信装置と，集線装置とを有する光通信装置に用いられる波長切替方法であって，
　前記光信号送受信装置が，
　他の前記光信号送受信装置と異なる波長により，通信先の装置である通信先装置からの光信号を受信し，受信した前記光信号から取得したパケットを前記集線装置に出力する上り信号処理ステップと，
　前記集線装置から受信したパケットを光信号に設定して他の前記光信号送受信装置と異なる波長により前記通信先装置に送信する下り信号処理ステップと，
　前記通信先装置とネットワークとの間の通信制御に関する機能を前記集線装置において実行するために用いられる制御用情報を保持する情報保持ステップとを有し，
　前記集線装置が，
　複数の前記光信号送受信装置から受信した前記パケットを集線して前記ネットワークに送信する集線ステップと，
　前記ネットワークから受信したパケットを複数の前記光信号送受信装置へ分離して出力する分離ステップと，
　前記通信先装置と前記ネットワークとの間の通信制御に関する機能を実行する制御ステップと，
　切替元の前記光信号送受信装置が用いる波長によるパケットの送受信を停止して切替先の前記光信号送受信装置が用いる波長によるパケットの送受信を行うよう制御する波長切替機能を有する外部制御装置から波長切替に関する指示を受信し，前記波長切替機能の一部を前記外部制御装置からのさらなる指示を受信せずに実行する波長切替機能実行ステップと，
　を有し，
　前記波長切替機能実行ステップにおいては，前記制御用情報を前記光信号送受信装置から読み出して記憶しておき，前記外部制御装置から波長切替の開始の指示を受信した場合に，切替元の前記光信号送受信装置から読み出して記憶していた前記制御用情報を，切替先の前記光信号送受信装置に書き込む，
　ことを特徴とする波長切替方法。」
第４　引用文献および引用発明
１　引用文献１の記載事項
　原査定の拒絶理由に引用された引用文献１には，図面とともに次の事項が記載されている（下線は，当審が付加した。以下同様。）。
ア　「【技術分野】
【０００１】
　この発明は，局側終端装置，加入者側終端装置，光通信システム，経路切替方法，経路切替プログラム，及び波長切替方法に関する。
【背景技術】
【０００２】
　近年，一般個人宅へ高速・広帯域なブロードバンドサービスを提供する目的で，伝送路に光ファイバを用いたＦＴＴＨ（Ｆｉｂｅｒ　Ｔｏ　Ｔｈｅ　Ｈｏｍｅ）と呼ばれるサービスが普及してきている。ＦＴＴＨによるブロードバンドサービスの提供には，受動型光加入者ネットワーク（ＰＯＮ：Ｐａｓｓｉｖｅ　Ｏｐｔｉｃａｌ　Ｎｅｔｗｏｒｋ）と呼ばれる光アクセスネットワークが多く利用されている。
【０００３】
　ＰＯＮは，１つの局側終端装置（ＯＬＴ：Ｏｐｔｉｃａｌ　Ｌｉｎｅ　Ｔｅｒｍｉｎａｌ）と，複数の加入者側終端装置（ＯＮＵ：Ｏｐｔｉｃａｌ　Ｎｅｔｗｏｒｋ　Ｕｎｉｔ）とを，光スプリッタ（光カプラ）と呼ばれる光受動素子を用いて１本の光ケーブルを分岐させることにより，１対多に接続して構成される。ＰＯＮでは，光ファイバやＯＬＴなどを複数の加入者で共有することにより，経済的にＦＴＴＨサービスを提供することができる。
【０００４】
　ＰＯＮには，１０Ｇ−ＥＰＯＮ（１０　Ｇｉｇａｂｉｔ　Ｅｔｈｅｒｎｅｔ（登録商標）ＰＯＮ）と呼ばれるものがある（例えば，非特許文献１参照）。この非特許文献１に記載されているＰＯＮでは，ＯＮＵからＯＬＴへ向かう通信（上り通信）には，ＴＤＭＡ（Ｔｉｍｅ　Ｄｉｖｉｓｉｏｎ　Ｍｕｌｔｉｐｌｅ　Ａｃｃｅｓｓ）技術が用いられ，各ＯＮＵからの信号の衝突を回避している。このＴＤＭＡ技術を用いるＰＯＮは，ＴＤＭ−ＰＯＮとも呼ばれる。
【０００５】
　さらに，将来の光アクセスネットワークにおける通信需要の増大に応えるため，伝送レートが１０Ｇｂｐｓを超える次世代のＰＯＮとして，複数のＴＤＭ−ＰＯＮをＷＤＭ（Ｗａｖｅｌｅｎｇｔｈ　Ｄｉｖｉｓｉｏｎ　Ｍｕｌｔｉｐｌｅｘｉｎｇ）技術で１つのＰＯＮインフラストラクチャー（ＰＯＮインフラ）上に構築する，ＷＤＭ／ＴＤＭ−ＰＯＮ（ＴＷＤＭ−ＰＯＮ）に関する研究開発が進展している（例えば，特許文献１参照）。ＴＷＤＭ−ＰＯＮを用いることにより，ＰＯＮインフラにおける伝送容量を増大させることができる。
（中略）
【００１８】
　一方，一般個人宅へ提供されるブロードバンドサービスには放送型のブロードキャストサービスも含まれ，ブロードキャストサービスの提供中において，パケットロスなどのサービス品質の劣化を発生させずに波長切替動作を実施できることが必要となる。
【００１９】
　そのようなブロードキャストサービスの一例として，近年，ＶＯＤ（Ｖｉｄｅｏ　Ｏｎ　Ｄｅｍａｎｄ）による超高精細４ｋ映像配信サービスが開始されており，今後は，ＴＷＤＭ−ＰＯＮシステムの広帯域性を利用した４ｋ映像ブロードキャスト配信サービスなどの提供も想定されている。例えば，
多チャンネルの４ｋ映像を配信する際，波長λ１で１ｃｈ〜１００ｃｈ，波長λ２で１０１ｃｈ〜２００ｃｈを配信し，ＯＮＵ側で受信したい波長及びチャンネルを選択して映像を受信するといった映像配信サービス
【００２０】
　しかしながら，このような４ｋ映像配信サービスを提供するＴＷＤＭ−ＰＯＮシステムにおいて，例えば，波長λ１のＯＮＵ配下の加入者から１０１ｃｈの視聴要求が発生した場合，非特許文献２に記載される波長切替シーケンスでは，ＯＬＴの裁量の下，ＯＬＴからの制御による波長切替制御であるため，ＯＮＵの波長切替を実施できず，希望のチャンネルが視聴できない。また，ＯＮＵが勝手に波長切替を実施すると，映像配信サービス以外の，それまで受けられていたインターネットデータ通信などのサービスが切断してしまうという課題がある。
【００２１】
　この発明は，上述の問題点に鑑みてなされたものである。この発明の目的は，収容されるＯＮＵの台数が多い場合であっても，パケットロスを発生させることなくＯＮＵとの接続を動的に変更可能なＯＬＴと，ＯＮＵとＯＬＴとの接続を変更する経路切替方法とを，回路規模を増大させることなく提供することにある。また，この発明の目的は，
ブロードキャストサービスの提供中においても，パケットロスを発生させることなくＯＮＵとの接続を動的に変更可能なＯＬＴ
イ　「【００８８】
　次に，図４及び図５を参照して，本実施の形態に係る波長切替方法について説明する。
以下で説明する波長切替方法は，ＯＮＵの裁量の下，ＯＮＵからの要求により波長切替を実行する形態である。」
ウ　図４
エ　「【００９０】
　図４は，本実施の形態に係る波長切替方法を説明するための，ＴＷＤＭ−ＰＯＮ１０の要部構成図である。なお，一般にＰＯＮシステムでは，ＯＬＴとＯＮＵ間の通信路を確立するための制御情報や，通信路確立後の上りデータ送信制御用情報を，ＯＬＴとＯＮＵ間で送受信する機能が必要であるが，ここでは波長切替制御に必要となる機能についてのみ説明する。
【００９１】
　
ＯＬＴ１００は，ＯＳＵ振分多重部１２４，複数の光送受信器１３２（１３２−１〜１３２−ｎ），複数のＯＳＵ２００（２００−１〜２００−ｎ），及びＯＬＴ制御部１４０を含んで
各光送受信器１３２と各ＯＳＵ２００とは１対１に接続され，ＯＳＵ２００−１から出力された信号は，光送受信器１３２−１に入力され，光送受信器１３２−１に割り付けられた送信波長で出力され
また光送受信器１３２−１に入力された光信号は，光送受信器１３２−１に割り付けられた受信波長のみが受信され，電気信号に変換された後，ＯＳＵ２００−１へ出力され
【００９２】
　
ＯＳＵ振分多重部１２４は，ＳＮＩから入力されるデータの宛先がどのＯＮＵ宛か，また，そのＯＮＵがどのＯＳＵに接続されているかを識別し，該当するＯＳＵへ振り分けて出力する
すなわち，ＯＳＵ振分多重部１２４は，
ＬＬＩＤ識別部１１０の機能とＯＳＵ振分部１２０の機能とを併せもっている
また各ＯＳＵから出力される上りデータを多重してＳＮＩへ出力する
【００９３】
　
ＯＳＵ２００は，下り制御信号送信部２０２，上り制御信号受信部２０４を含んで構成され
【００９４】
　
下り制御信号送信部２０２は，ＯＬＴ制御部１４０からの切替指示通知により，波長切替制御メッセージを生成し，ＯＳＵ振分多重部１２４から出力されるデータと多重して光送受信器１３２へ出力する
上り制御信号受信部２０４は，光送受信器１３２から出力される信号を受信し，その受信データから，波長切替要求メッセージを抽出して，ＯＬＴ制御部１４０へ切替要求を通知する
また，その受信データから，波長切替応答メッセージを抽出して，ＯＬＴ制御部１４０へ切替完了を通知する
【００９５】
　
ＯＬＴ制御部１４０は，各ＯＮＵ３００の波長割当を管理し，下り制御信号送信部２０２及び上り制御信号受信部２０４を介して，波長切替制御メッセージ，波長切替応答メッセージ，波長切替要求メッセージをＯＮＵ３００と送受信することで，波長切替制御を実行する
【００９６】
　
ＯＮＵ３００は，上り制御信号受信部３０４，上り制御信号送信部３０６，下り制御信号受信部３０８，下り制御信号送信部３１０，ＯＮＵ制御部３０２，波長切替制御部３１２，及び波長可変光送受信器３１４を含んで構成されている
【００９７】
　
上り制御信号受信部３０４は，ＵＮＩ（Ｕｓｅｒ　Ｎｅｔｗｏｒｋ　Ｉｎｔｅｒｆａｃｅ）から入力されるＳＴＢ（Ｓｅｔ　Ｔｏｐ　Ｂｏｘ）５００からのチャンネル切替要求メッセージを抽出し，ＯＮＵ制御部３０２へ通知する。それ以外のデータは上り制御信号送信部３０６へ出力する
【００９８】
　
上り制御信号送信部３０６は，ＯＮＵ制御部３０２の指示により，波長切替応答メッセージおよび波長切替要求メッセージを生成し，上り制御信号受信部３０４から出力されるデータと多重して波長可変光送受信器３１４へ出力する
【００９９】
　
下り制御信号受信部３０８は，波長可変光送受信器３１４から出力される信号を受信し，その受信データから，波長切替制御メッセージを抽出して，ＯＮＵ制御部３０２へ通知する。それ以外のデータは下り制御信号送信部３１０へ出力する
【０１００】
　
下り制御信号送信部３１０は，ＯＮＵ制御部３０２の指示により，チャンネル切替完了メッセージを生成し，下り制御信号受信部３０８から出力されるデータと多重して，ＵＮＩから出力する
【０１０１】
　
ＯＮＵ制御部３０２は，ＯＬＴ１００から切替要求を示す波長切替制御メッセージを受信した場合，指定される波長を波長切替制御部３１２へ通知する。また，波長切替制御部３１２での波長切替完了後，波長切替応答メッセージを，上り制御信号送信部３０６を介してＯＬＴ１００に通知する。一方，ＳＴＢ５００からチャンネル切替要求メッセージを受信した場合は，要求チャンネル番号から切替するべき波長を解析し，切替要求する波長情報を含んだ波長切替要求メッセージを，上り制御信号送信部３０６を介してＯＬＴ１００に通知する。また，ＯＬＴ１００から切替完了を示す波長切替制御メッセージを受信した場合は，チャンネル切替完了メッセージを，下り制御信号送信部３１０を介してＳＴＢ５００に通知する
【０１０２】
　
波長切替制御部３１２は，波長可変光送受信器３１４の動作波長が，ＯＮＵ制御部３０２より通知された波長になるよう，波長可変光送受信器３１４の波長設定制御を行う。波長可変光送受信器３１４は，上り制御信号送信部３０６から出力された信号を，波長切替制御部３１２により制御された上り波長にて出力する。また，波長可変光送受信器３１４に入力された光信号から，波長切替制御部３１２において制御された下り波長のみを受信し，電気信号に変換した後，下り制御信号受信部３０８へ出力する
【０１０３】
　
ＯＬＴ１００の各光送受信器１３２は，光スプリッタ４００を介して，各ＯＮＵ３００の波長可変光送受信器３１４に接続されている
オ　図５
カ　「【０１０４】
　次に図５を参照して，本実施の形態に係る波長切替方法の
波長切替シーケンスに
【０１０５】
　
ＯＮＵ１配下の加入者が，ＳＴＢ５００に対して１０１ｃｈの視聴リクエストを行うと，ＳＴＢ５００はＯＮＵ１に対して，［１］チャンネル切替要求メッセージ（１０１ｃｈ）を送信する
【０１０６】
　
上り制御信号受信部３０４を介して，［１］チャンネル切替要求メッセージ（１０１ｃｈ）を受信したＯＮＵ１のＯＮＵ制御部３０２は，切替要求されたチャンネルがどの波長に属しているかを解析する
この場合，結果はλ２でありＯＮＵ１の現在の波長λ１と一致しないため，上り制御信号送信部３０６を介して，［２］波長切替要求メッセージ（λ２）をＯＳＵ１に送信する
【０１０７】
　
［２］波長切替要求メッセージ（λ２）を受信したＯＳＵ１の上り制御信号受信部２０４は，ＯＬＴ制御部１４０に［３］切替要求（ＯＮＵ１，λ２）を通知する
【０１０８】
　［３］
切替要求（ＯＮＵ１，λ２）を受信したＯＬＴ制御部１４０は，ＯＳＵ１およびＯＳＵ２に対して，［４］切替指示（ＯＮＵ１，λ２）を通知する
【０１０９】
　
［４］切替指示（ＯＮＵ１，λ２）を受信したＯＳＵ１は，下り制御信号送信部２０２からＯＮＵ１宛に，［５］波長切替制御メッセージ（要求，λ２）を送信する
【０１１０】
　［４］切替指示（ＯＮＵ１，λ２）を受信したＯＳＵ２は，図２には示していないが，波長切替応答メッセージ用グラントをＯＮＵ１に周期的に送信する。
【０１１１】
　
［５］波長切替制御メッセージ（要求，λ２）を受信したＯＮＵ１のＯＮＵ制御部３０２は，上り制御信号送信部３０６を介して，ＯＳＵ１に，［６］波長切替応答メッセージ（応答）を送信すると共に，波長切替制御メッセージ（要求，λ２）の指示に従い，波長切替制御部３１２に対して，波長λ２への波長切替を指示する
波長切替制御部３１２は，波長可変光送受信器３１４の波長をλ２に変更する
【０１１２】
　波長可変光送受信器３１４の波長切替が完了し，波長がλ２に変更されたＯＮＵ１は，ＯＳＵ２からの波長切替応答メッセージ用グラントを受信すると，上り制御信号送信部３０６を介して，［７］波長切替応答メッセージ（完了）をＯＳＵ２へ送信する。
【０１１３】
　［７］波長切替応答メッセージ（完了）を受信したＯＳＵ２は，ＯＬＴ制御部１４０に，［８］切替完了（ＯＮＵ１）を通知する。
【０１１４】
　［８］切替完了（ＯＮＵ１）を受信したＯＬＴ制御部１４０は，ＯＳＵ１及びＯＳＵ２に対して，［９］切替完了（ＯＮＵ１）を通知する。
【０１１５】
　［９］切替完了（ＯＮＵ１）を受信したＯＳＵ２は，下り制御信号送信部２０２から［１０］波長切替制御メッセージ（完了）をＯＮＵ１へ送信し，ＯＮＵ１への波長切替応答メッセージ用グラントの送信を停止する。同様に，［９］切替完了（ＯＮＵ１）を受信したＯＳＵ１は，ＯＮＵ１への波長切替応答メッセージ用グラントの送信を停止する。
【０１１６】
　［１０］波長切替制御メッセージ（完了）を受信したＯＮＵ１は，［１１］チャンネル切替完了（１０１ｃｈ）をＳＴＢ５００に通知する。
【０１１７】
　［１１］チャンネル切替完了（１０１ｃｈ）を受信したＳＴＢ５００は，チャンネルを１０１に変更し映像を受信する。
【０１１８】
　以上に示す
波長切替手順を実行することにより，波長ごとに多チャンネルの４ｋ映像配信サービスを提供するＴＷＤＭ−ＰＯＮシステムにおいて，ＯＮＵ配下の加入者からの視聴リクエストをトリガ（契機）として，それまで受けていたデータ通信等のサービスを中断することなく，異なる波長で配信される映像チャンネルを受信することが可能となる
２　引用発明
　上記１の引用文献１の，特に下線を付加した記載に着目すると，引用文献１には，以下の発明（以下，「引用発明」という。）が記載されていると認められる。
「多チャンネルの４ｋ映像を配信する際，波長λ１で１ｃｈ〜１００ｃｈ，波長λ２で１０１ｃｈ〜２００ｃｈを配信し，ＯＮＵ側で受信したい波長及びチャンネルを選択して映像を受信するといった映像配信サービスのようなブロードキャストサービスの提供中においても，パケットロスを発生させることなくＯＮＵとの接続を動的に変更可能なＯＬＴであって，
　ＯＬＴ１００は，ＯＳＵ振分多重部１２４，複数の光送受信器１３２（１３２−１〜１３２−ｎ），複数のＯＳＵ２００（２００−１〜２００−ｎ），及びＯＬＴ制御部１４０を含んでおり，
　各光送受信器１３２と各ＯＳＵ２００とは１対１に接続され，ＯＳＵ２００−１から出力された信号は，光送受信器１３２−１に入力され，光送受信器１３２−１に割り付けられた送信波長で出力され，また光送受信器１３２−１に入力された光信号は，光送受信器１３２−１に割り付けられた受信波長のみが受信され，電気信号に変換された後，ＯＳＵ２００−１へ出力されており，
　ＯＳＵ振分多重部１２４は，ＳＮＩから入力されるデータの宛先がどのＯＮＵ宛か，また，そのＯＮＵがどのＯＳＵに接続されているかを識別し，該当するＯＳＵへ振り分けて出力しており，すなわち，ＯＳＵ振分多重部１２４は，ＬＬＩＤ識別部１１０の機能とＯＳＵ振分部１２０の機能とを併せもっており，また各ＯＳＵから出力される上りデータを多重してＳＮＩへ出力しており，
　ＯＳＵ２００は，下り制御信号送信部２０２，上り制御信号受信部２０４を含んで構成され，
　下り制御信号送信部２０２は，ＯＬＴ制御部１４０からの切替指示通知により，波長切替制御メッセージを生成し，ＯＳＵ振分多重部１２４から出力されるデータと多重して光送受信器１３２へ出力しており，
　上り制御信号受信部２０４は，光送受信器１３２から出力される信号を受信し，その受信データから，波長切替要求メッセージを抽出して，ＯＬＴ制御部１４０へ切替要求を通知し，また，その受信データから，波長切替応答メッセージを抽出して，ＯＬＴ制御部１４０へ切替完了を通知しており，
　ＯＬＴ制御部１４０は，各ＯＮＵ３００の波長割当を管理し，下り制御信号送信部２０２及び上り制御信号受信部２０４を介して，波長切替制御メッセージ，波長切替応答メッセージ，波長切替要求メッセージをＯＮＵ３００と送受信することで，波長切替制御を実行しており，
　ＯＮＵ３００は，上り制御信号受信部３０４，上り制御信号送信部３０６，下り制御信号受信部３０８，下り制御信号送信部３１０，ＯＮＵ制御部３０２，波長切替制御部３１２，及び波長可変光送受信器３１４を含んで構成されており，
　上り制御信号受信部３０４は，ＵＮＩ（Ｕｓｅｒ　Ｎｅｔｗｏｒｋ　Ｉｎｔｅｒｆａｃｅ）から入力されるＳＴＢ（Ｓｅｔ　Ｔｏｐ　Ｂｏｘ）５００からのチャンネル切替要求メッセージを抽出し，ＯＮＵ制御部３０２へ通知し，それ以外のデータは上り制御信号送信部３０６へ出力しており，
　上り制御信号送信部３０６は，ＯＮＵ制御部３０２の指示により，波長切替応答メッセージおよび波長切替要求メッセージを生成し，上り制御信号受信部３０４から出力されるデータと多重して波長可変光送受信器３１４へ出力しており，
　下り制御信号受信部３０８は，波長可変光送受信器３１４から出力される信号を受信し，その受信データから，波長切替制御メッセージを抽出して，ＯＮＵ制御部３０２へ通知する。それ以外のデータは下り制御信号送信部３１０へ出力しており，
　下り制御信号送信部３１０は，ＯＮＵ制御部３０２の指示により，チャンネル切替完了メッセージを生成し，下り制御信号受信部３０８から出力されるデータと多重して，ＵＮＩから出力しており，
　ＯＮＵ制御部３０２は，ＯＬＴ１００から切替要求を示す波長切替制御メッセージを受信した場合，指定される波長を波長切替制御部３１２へ通知し，また，波長切替制御部３１２での波長切替完了後，波長切替応答メッセージを，上り制御信号送信部３０６を介してＯＬＴ１００に通知し，一方，ＳＴＢ５００からチャンネル切替要求メッセージを受信した場合は，要求チャンネル番号から切替するべき波長を解析し，切替要求する波長情報を含んだ波長切替要求メッセージを，上り制御信号送信部３０６を介してＯＬＴ１００に通知し，また，ＯＬＴ１００から切替完了を示す波長切替制御メッセージを受信した場合は，チャンネル切替完了メッセージを，下り制御信号送信部３１０を介してＳＴＢ５００に通知しており，
　波長切替制御部３１２は，波長可変光送受信器３１４の動作波長が，ＯＮＵ制御部３０２より通知された波長になるよう，波長可変光送受信器３１４の波長設定制御を行っており，
　波長可変光送受信器３１４は，上り制御信号送信部３０６から出力された信号を，波長切替制御部３１２により制御された上り波長にて出力し，また，波長可変光送受信器３１４に入力された光信号から，波長切替制御部３１２において制御された下り波長のみを受信し，電気信号に変換した後，下り制御信号受信部３０８へ出力しており，
　ＯＬＴ１００の各光送受信器１３２は，光スプリッタ４００を介して，各ＯＮＵ３００の波長可変光送受信器３１４に接続されており，
　波長切替シーケンスにおいて，
　ＯＮＵ１配下の加入者が，ＳＴＢ５００に対して１０１ｃｈの視聴リクエストを行うと，ＳＴＢ５００はＯＮＵ１に対して，［１］チャンネル切替要求メッセージ（１０１ｃｈ）を送信し，
　上り制御信号受信部３０４を介して，［１］チャンネル切替要求メッセージ（１０１ｃｈ）を受信したＯＮＵ１のＯＮＵ制御部３０２は，切替要求されたチャンネルがどの波長に属しているかを解析し，この場合，結果はλ２でありＯＮＵ１の現在の波長λ１と一致しないため，上り制御信号送信部３０６を介して，［２］波長切替要求メッセージ（λ２）をＯＳＵ１に送信し，
　［２］波長切替要求メッセージ（λ２）を受信したＯＳＵ１の上り制御信号受信部２０４は，ＯＬＴ制御部１４０に［３］切替要求（ＯＮＵ１，λ２）を通知し，
　切替要求（ＯＮＵ１，λ２）を受信したＯＬＴ制御部１４０は，ＯＳＵ１およびＯＳＵ２に対して，［４］切替指示（ＯＮＵ１，λ２）を通知し，
　［４］切替指示（ＯＮＵ１，λ２）を受信したＯＳＵ１は，下り制御信号送信部２０２からＯＮＵ１宛に，［５］波長切替制御メッセージ（要求，λ２）を送信し，
　［５］波長切替制御メッセージ（要求，λ２）を受信したＯＮＵ１のＯＮＵ制御部３０２は，上り制御信号送信部３０６を介して，ＯＳＵ１に，［６］波長切替応答メッセージ（応答）を送信すると共に，波長切替制御メッセージ（要求，λ２）の指示に従い，波長切替制御部３１２に対して，波長λ２への波長切替を指示し，
　波長切替制御部３１２は，波長可変光送受信器３１４の波長をλ２に変更する
　波長切替手順を実行することにより，波長ごとに多チャンネルの４ｋ映像配信サービスを提供するＴＷＤＭ−ＰＯＮシステムにおいて，ＯＮＵ配下の加入者からの視聴リクエストをトリガ（契機）として，それまで受けていたデータ通信等のサービスを中断することなく，異なる波長で配信される映像チャンネルを受信することが可能となる
ＯＬＴ。」
３　引用文献２の記載事項および記載技術
ア　原査定の拒絶理由に引用された引用文献２には，図面とともに次の事項が記載されている。
（ア）　「１．はじめに
　アクセスネットワーク装置の部品化［１］の一形態として，
Ｐｉｚｚａ−Ｂｏｘ型ＯＳＵ（Ｏｐｔｉｃａｌ　Ｓｕｂｓｃｒｉｂｅｒ　Ｕｎｉｔ）とＷｈｉｔｅ　Ｂｏｘ　Ｓｗｉｔｃｈ等の装置を組み合わせてＯＬＴ（Ｏｐｔｉｃａｌ　Ｌｉｎｅ　Ｔｅｒｍｉｎａｌ）とし，それらを遠隔のコントローラで制御する構成
波長切替を用いた高信頼化
高信頼化で取り得るＮＧ−ＰＯＮ２の装置構成
（イ）　図１（２２６頁右欄上） 
 
（ウ）　「２．提案構成
　高信頼化で取り得るＮＧ−ＰＯＮ２の構成例を図１に示す。左上の構成を例に，信号の流れと，故障時の動作を説明する。
信号は，
ＳＷ（Ｓｗｉｔｃｈ）で，
ＯＳＵに振り分けられ，ＯＳＵ内ＳＷでＣＴ（Ｃｈａｎｎｅｌ　Ｔｅｒｍｉｎａｔｉｏｎ）に振分けられ，光分岐網を介し，ＯＮＵ（Ｏｐｔｉｃａｌ　Ｎｅｔｗｏｒｋ　Ｕｎｉｔ）で送受信され
ＣＴ故障時に，故障ＣＴ配下のＯＮＵを，同一ＯＳＵ内の別波長ＣＴ配下となるよう，ＯＮＵの波長切替を行うことで高信頼化を図
（エ）　図２（２２６頁右欄下）  
 
（オ）　「３．波長切替
　ＣＴ−ＳＷ間で連携した波長切替における切替指示の経路を図２に示す。ここで，
ＯＳＵとＳＷは別コントローラ配下で，それぞれ共通信号線を介して接続する
ＯＳＵ故障をＯＳＵコントローラが検出し，
ＳＷコントローラ経由
で，ＯＳＵコントローラからＳＷに切替指示を行う
イ　引用文献２に記載の技術
　上記アの特に下線部に着目すると，引用文献２には以下の様な技術（以下，「引用文献２記載技術」という。）が開示されているといえる。
「Ｐｉｚｚａ−Ｂｏｘ型ＯＳＵ（Ｏｐｔｉｃａｌ　Ｓｕｂｓｃｒｉｂｅｒ　Ｕｎｉｔ）とＷｈｉｔｅ　Ｂｏｘ　Ｓｗｉｔｃｈ等の装置を組み合わせてＯＬＴ（Ｏｐｔｉｃａｌ　Ｌｉｎｅ　Ｔｅｒｍｉｎａｌ）とし，それらを遠隔のコントローラで制御する構成において，
　波長切替を用いた高信頼化で取り得るＮＧ−ＰＯＮ２の装置構成であって，
　信号は，ＳＷ（Ｓｗｉｔｃｈ）で，ＯＳＵに振り分けられ，ＯＳＵ内ＳＷでＣＴ（Ｃｈａｎｎｅｌ　Ｔｅｒｍｉｎａｔｉｏｎ）に振分けられ，光分岐網を介し，ＯＮＵ（Ｏｐｔｉｃａｌ　Ｎｅｔｗｏｒｋ　Ｕｎｉｔ）で送受信されており，
　ＣＴ故障時に，故障ＣＴ配下のＯＮＵを，同一ＯＳＵ内の別波長ＣＴ配下となるよう，ＯＮＵの波長切替を行うことで高信頼化を図っており，
　ＯＳＵとＳＷは別コントローラ配下で，それぞれ共通信号線を介して接続しており，
　ＯＳＵ故障をＯＳＵコントローラが検出し，ＳＷコントローラ経由で，ＯＳＵコントローラからＳＷに切替指示を行う
ＮＧ−ＰＯＮ２の装置構成。」
４　引用文献３の記載事項および記載技術
ア　原査定の拒絶理由に引用された引用文献３には，図面とともに次の事項が記載されている。
（ア）　図２．１．−１（１３頁上）        
 
（イ）　「ＮＧ−ＰＯＮ２　ＯＬＴを例にとり，
ＦＡＳＡに基づくアクセスネットワーク装置の構成
ＦＡＳＡ基盤を複数のハードウェア（ＮＧ−ＰＯＮ２ボックス，ホワイトボックススイッチ）で構成し
ＮＧ−ＰＯＮ２ボックスとホワイトボックススイッチとは，Ｅｔｈｅｒｎｅｔ等の標準的なプロトコルで接続し
機能の追加や入替は，ＦＡＳＡ基盤のＦＡＳＡアプリケーションＡＰＩ上へのＦＡＳＡアプリケーションの追加や入替により行う
ＦＡＳＡアプリケーションＡＰＩ用ミドルウェアは，ベンダや方式の差異によるハードウェア及びソフトウェアの違いを吸収し，ＦＡＳＡアプリケーションＡＰＩを提供するためのソフトウェアである
（ウ）　図２．２．―１（１４頁上） 
 
イ　引用文献３に記載の技術
　上記アの特に下線部に着目すると，引用文献３には以下の様な技術（以下，「引用文献３記載技術」という。）が開示されているといえる。
「ＦＡＳＡに基づくアクセスネットワーク装置の構成であって，
　ＦＡＳＡ基盤を複数のハードウェア（ＮＧ−ＰＯＮ２ボックス，ホワイトボックススイッチ）で構成し，ＮＧ−ＰＯＮ２ボックスとホワイトボックススイッチとは，Ｅｔｈｅｒｎｅｔ等の標準的なプロトコルで接続しており，
　機能の追加や入替は，ＦＡＳＡ基盤のＦＡＳＡアプリケーションＡＰＩ上へのＦＡＳＡアプリケーションの追加や入替により行っており，
　ＦＡＳＡアプリケーションＡＰＩ用ミドルウェアは，ベンダや方式の差異によるハードウェア及びソフトウェアの違いを吸収し，ＦＡＳＡアプリケーションＡＰＩを提供するためのソフトウェアである
アクセスネットワーク装置。」
５　引用文献４の記載事項および記載技術
ア　原査定の拒絶理由に引用された引用文献４には，図面とともに次の事項が記載されている。
（ア）　「【技術分野】
【０００１】
　本発明は，
光伝送システムの冗長構成を有する光終端システム
【背景技術】
【０００２】
　ＰＯＮ（Passive　Optical　Network）システムは，センター局に配置される光終端装置ＯＬＴ（Optical　Line　Terminal）と複数のユーザ宅の光終端装置ＯＮＵ（Optical　Network　Unit）とを，光ファイバ及び光スプリッタからなる受動光素子を介して接続する光伝送システムである（例えば，特許文献１）。
【０００３】
　ＰＯＮシステムは，インターネットのアクセス回線として普及するに留まらず，放送，データ通信及びデータを複合的に提供するシステムとして利用されつつある。
【特許文献１】特開２００５−１７５５９９公報 
【発明の開示】
【発明が解決しようとする課題】
【０００４】
　放送や電話にも利用する場合，ネットワーク機器の故障による接続断は可能な限り避けなければならない。ＯＬＴの交換は，配下の全ユーザへのサービスの一時停止に繋がる。
【０００５】
　本発明は，冗長構成により耐障害性能を高めた光終端システムを提示することを目的とする。
（中略）
【発明の効果】
【０００９】
　本発明によれば，
現用機から予備機への切り替えを迅速に行え
予備機が，現用機の保有する管理情報を利用できるので，移行に伴う空白期間を短縮できる
（イ）　図１
（ウ）　「【００１１】
　図１は，本発明の一実施例の概略構成ブロック図を示す。本実施例では，
現用の３つのＯＬＴ１０ａ，１０ｂ，１０ｃと，予備の１つのＯＬＴ１０ｄと，ＯＬＴ１０ａ，１０ｂ又は１０ｃの故障時にＯＬＴ１０ｄに切り替える制御装置１２が，同一の架の異なるスロットに収容されている
制御装置１２は，障害の発生した何れかのＯＬＴ１０ａ，１０ｂ，１０ｃから予備のＯＬＴ１０ｄに管理情報を転送するために一時的に，管理情報を記憶する記憶装置１３を具備する
【００１２】
　
ＯＬＴ１０ａの光入出力ポートは，光ファイバ１４ａ及び光カップラ１６ａからなる第１のＰＯＮ伝送路を介して複数のＯＮＵ１８ａ−１〜１８ａ−ｎに接続する
ＯＬＴ１０ｂの光入出力ポートは，光ファイバ１４ｂ及び光カップラ１６ｂからなる第２のＰＯＮ伝送路を介して複数のＯＮＵ１８ｂ−１〜１８ｂ−ｎに接続する。ＯＬＴ１０ｃの光入出力ポートは，光ファイバ１４ｃ及び光カップラ１６ｃからなる第３のＰＯＮ伝送路を介して複数のＯＮＵ１８ｃ−１〜１８ｃ−ｎに接続する
【００１３】
　予備ＯＬＴ１０ｄの光入出力ポートは，光ファイバ１４ｄを介して光スイッチ２０の光セレクタ２２の共通接点に接続する
【００１４】
　接点２２ｄは，無反射終端されている。光セレクタ２２は，ＯＬＴ１０ｄを待機させているときに接点２２ｄに接続する。これにより，予備状態のＯＬＴ１０ｄを信号光出力状態にしておいても，その信号光が，何れかのＰＯＮ伝送路に流れ込まないようにできる。即ち，
ＯＬＴ１０ｄを電源投入状態で待機させる
【００１５】
　光パワーモニタ２６は，ＯＬＴ１０ａ〜１０ｄの光入出力ポートから出力される下り信号光の光パワーをモニタし，その結果を制御装置１２に通知する。ＯＬＴ１０ａ〜１０ｄの光入出力ポートから出力される信号光をモニタするために，光ファイバ１４ａ〜１４ｄ上に，それぞれ光分波器２８ａ〜２８ｄを配置してあり，光分波器２８ａ〜２８ｄで分波された下り信号光が，光パワーモニタ２６に入力する。
【００１６】
　
ＯＬＴ１０ａ〜１０ｄの上流側には，ＯＬＴ１０ａ〜１０ｃの何れか１つの障害時に，障害のあるＯＬＴから予備のＯＬＴ１０ｄに切り替える電気スイッチ３０が配置される
電気スイッチ３０は，具体的には，上位ネットワークをＯＬＴ１０ａ又はＯＬＴ１０ｄの電気入出力ポートに選択的に接続するスイッチ３０ａと，上位ネットワークをＯＬＴ１０ｂ又はＯＬＴ１０ｄの電気入出力ポートに選択的に接続するスイッチ３０ｂと，上位ネットワークをＯＬＴ１０ｃ又はＯＬＴ１０ｄの電気入出力ポートに選択的に接続するスイッチ３０ｃとからなる
【００１７】
　
スイッチ３０ａは，通常時には，上位ネットワークとＯＬＴ１０ａの電気入出力ポートとを接続し，ＯＬＴ１０ａの障害時には，上位ネットワークとＯＬＴ１０ｄの電気入出力ポートとを接続する。
スイッチ３０ｂは，通常時には，上位ネットワークとＯＬＴ１０ｂの電気入出力ポートとを接続し，ＯＬＴ１０ｂの障害時には，上位ネットワークとＯＬＴ１０ｄの電気入出力ポートとを接続する。スイッチ３０ｃは，通常時には，上位ネットワークとＯＬＴ１０ｃの電気入出力ポートとを接続し，ＯＬＴ１０ｃの障害時には，上位ネットワークとＯＬＴ１０ｄの電気入出力ポートとを接続する
（エ）　「【００２１】
　
ＣＰＵ４６は，起動時に，配下のＯＮＵ１８ａ−１〜１８ａ−ｎと情報をやり取り行い，種々の管理情報（具体的には，ＯＮＵの種別（メーカ及びファームウエア等）といった情報）と設定情報（例えば，各ＯＮＵ１８ａ−１〜１８ａ−ｎの各サービスに割り当てるロジカルリンクの情報等）をＲＡＭ５４に格納する
管理情報と設定情報をまとめて，管理情報と
ＣＰＵ４６はまた，新たに電源がオンになったＯＮＵに対して，ＲＡＭ５４の管理情報を更新する
ＣＰＵ４６はまた，ＯＬＴ１０ａの動作状況をモニタしており，異常発生時にその旨を制御装置１２に通知する機能を具備する
【００２２】
　ＯＬＴ１０ｂ，１０ｃ，１０ｄもまた，ＯＬＴ１０ａと同じ構成及び機能を具備する。
【００２３】
　
制御装置１２は，ＯＬＴ１０ａ，１０ｂ，１０ｃからの警告，又は光パワーモニタ２６からの通知に従い，障害の発生した何れかのＯＬＴ１０ａ〜１０ｃを予備のＯＬＴ１０ｄに切り替え
【００２４】
　図２は，
制御装置１２のＯＬＴ切り替えのフロー
ＯＬＴ１０ａで障害が発生した
制御装置１２は，ＯＬＴ１０ａからの警告，又は，光パワーモニタ２６からの通知に従い，ＯＬＴ１０ａの障害発生を検出すると（Ｓ１），ＯＬＴ１０ａにＲＡＭ５４に保存されている管理情報の転送を要求する
ＯＬＴ１０ａからの管理情報を記憶装置１３に格納する
【００２５】
　ＯＬＴ１０ａからの全管理情報の受信に成功すると（Ｓ３），
制御装置１２は，光スイッチ２０及び電気スイッチ３０を，ＯＬＴ１０ａから予備のＯＬＴ１０ｄに切り替え
記憶装置１３に格納したＯＬＴ１０ａからの管理情報を予備のＯＬＴ１０ｄに転送し（Ｓ５），引き継ぎをＯＬＴ１０ｄに指示する
予備のＯＬＴ１０ｄのＣＰＵ４６は，制御装置１２からの管理情報をＲＡＭ５４に格納し，この管理情報を使って，ＯＮＵ１８ａ−１〜１８ａ−ｎの管理と，ＯＮＵ１８ａ−１〜１８ａ−ｎと上位ネットワーク間の通信の仲介を引き継ぐ
イ　引用文献４に記載の技術
　上記アの特に下線部に着目すると，引用文献４には以下の様な技術（以下，「引用文献４記載技術」という。）が開示されているといえる。
「光伝送システムの冗長構成を有する光終端システムであって，
　現用機から予備機への切り替えを迅速に行え，予備機が，現用機の保有する管理情報を利用できるので，移行に伴う空白期間を短縮できる光終端システムであり，
　現用の３つのＯＬＴ１０ａ，１０ｂ，１０ｃと，予備の１つのＯＬＴ１０ｄと，ＯＬＴ１０ａ，１０ｂ又は１０ｃの故障時にＯＬＴ１０ｄに切り替える制御装置１２が，同一の架の異なるスロットに収容されており，
　制御装置１２は，障害の発生した何れかのＯＬＴ１０ａ，１０ｂ，１０ｃから予備のＯＬＴ１０ｄに管理情報を転送するために一時的に，管理情報を記憶する記憶装置１３を具備しており，
　ＯＬＴ１０ａの光入出力ポートは，光ファイバ１４ａ及び光カップラ１６ａからなる第１のＰＯＮ伝送路を介して複数のＯＮＵ１８ａ−１〜１８ａ−ｎに接続しており，
　ＯＬＴ１０ｂの光入出力ポートは，光ファイバ１４ｂ及び光カップラ１６ｂからなる第２のＰＯＮ伝送路を介して複数のＯＮＵ１８ｂ−１〜１８ｂ−ｎに接続しており，
　ＯＬＴ１０ｃの光入出力ポートは，光ファイバ１４ｃ及び光カップラ１６ｃからなる第３のＰＯＮ伝送路を介して複数のＯＮＵ１８ｃ−１〜１８ｃ−ｎに接続しており，
　予備ＯＬＴ１０ｄの光入出力ポートは，光ファイバ１４ｄを介して光スイッチ２０の光セレクタ２２の共通接点に接続しており，
　ＯＬＴ１０ｄを電源投入状態で待機させており，
　ＯＬＴ１０ａ〜１０ｄの上流側には，ＯＬＴ１０ａ〜１０ｃの何れか１つの障害時に，障害のあるＯＬＴから予備のＯＬＴ１０ｄに切り替える電気スイッチ３０が配置されており，電気スイッチ３０は，具体的には，上位ネットワークをＯＬＴ１０ａ又はＯＬＴ１０ｄの電気入出力ポートに選択的に接続するスイッチ３０ａと，上位ネットワークをＯＬＴ１０ｂ又はＯＬＴ１０ｄの電気入出力ポートに選択的に接続するスイッチ３０ｂと，上位ネットワークをＯＬＴ１０ｃ又はＯＬＴ１０ｄの電気入出力ポートに選択的に接続するスイッチ３０ｃとからなっており，
　スイッチ３０ａは，通常時には，上位ネットワークとＯＬＴ１０ａの電気入出力ポートとを接続し，ＯＬＴ１０ａの障害時には，上位ネットワークとＯＬＴ１０ｄの電気入出力ポートとを接続しており，
　スイッチ３０ｂは，通常時には，上位ネットワークとＯＬＴ１０ｂの電気入出力ポートとを接続し，ＯＬＴ１０ｂの障害時には，上位ネットワークとＯＬＴ１０ｄの電気入出力ポートとを接続しており，
　スイッチ３０ｃは，通常時には，上位ネットワークとＯＬＴ１０ｃの電気入出力ポートとを接続し，ＯＬＴ１０ｃの障害時には，上位ネットワークとＯＬＴ１０ｄの電気入出力ポートとを接続しており，
　ＣＰＵ４６は，起動時に，配下のＯＮＵ１８ａ−１〜１８ａ−ｎと情報をやり取り行い，種々の管理情報（具体的には，ＯＮＵの種別（メーカ及びファームウエア等）といった情報）と設定情報（例えば，各ＯＮＵ１８ａ−１〜１８ａ−ｎの各サービスに割り当てるロジカルリンクの情報等）をＲＡＭ５４に格納しており，管理情報と設定情報をまとめて，管理情報と称し，
　ＣＰＵ４６はまた，新たに電源がオンになったＯＮＵに対して，ＲＡＭ５４の管理情報を更新しており，
　ＣＰＵ４６はまた，ＯＬＴ１０ａの動作状況をモニタしており，異常発生時にその旨を制御装置１２に通知する機能を具備しており，
　制御装置１２は，ＯＬＴ１０ａ，１０ｂ，１０ｃからの警告，又は光パワーモニタ２６からの通知に従い，障害の発生した何れかのＯＬＴ１０ａ〜１０ｃを予備のＯＬＴ１０ｄに切り替えており，
　制御装置１２は，ＯＬＴ１０ａからの警告，又は，光パワーモニタ２６からの通知に従い，ＯＬＴ１０ａの障害発生を検出すると（Ｓ１），ＯＬＴ１０ａにＲＡＭ５４に保存されている管理情報の転送を要求し，ＯＬＴ１０ａからの管理情報を記憶装置１３に格納しており，
　制御装置１２のＯＬＴ切り替えのフローにおいて，
　ＯＬＴ１０ａで障害が発生した際，制御装置１２は，ＯＬＴ１０ａからの警告，又は，光パワーモニタ２６からの通知に従い，ＯＬＴ１０ａの障害発生を検出すると（Ｓ１），ＯＬＴ１０ａにＲＡＭ５４に保存されている管理情報の転送を要求し，ＯＬＴ１０ａからの管理情報を記憶装置１３に格納し，
　制御装置１２は，光スイッチ２０及び電気スイッチ３０を，ＯＬＴ１０ａから予備のＯＬＴ１０ｄに切り替え，記憶装置１３に格納したＯＬＴ１０ａからの管理情報を予備のＯＬＴ１０ｄに転送し（Ｓ５），引き継ぎをＯＬＴ１０ｄに指示し，
　予備のＯＬＴ１０ｄのＣＰＵ４６は，制御装置１２からの管理情報をＲＡＭ５４に格納し，この管理情報を使って，ＯＮＵ１８ａ−１〜１８ａ−ｎの管理と，ＯＮＵ１８ａ−１〜１８ａ−ｎと上位ネットワーク間の通信の仲介を引き継ぐ
光終端システム。」
第５　対比・判断
１　本願発明１について
（１）対比
　本願発明１と引用発明とを対比すると，次のことが認められる。
ア　引用発明において，「ＯＬＴ１００は，ＯＳＵ振分多重部１２４，複数の光送受信器１３２（１３２−１〜１３２−ｎ），複数のＯＳＵ２００（２００−１〜２００−ｎ），及びＯＬＴ制御部１４０を含んでおり，各光送受信器１３２と各ＯＳＵ２００とは１対１に接続され，ＯＳＵ２００−１から出力された信号は，光送受信器１３２−１に入力され，光送受信器１３２−１に割り付けられた送信波長で出力され，また光送受信器１３２−１に入力された光信号は，光送受信器１３２−１に割り付けられた受信波長のみが受信され，電気信号に変換された後，ＯＳＵ２００−１へ出力されており，ＯＳＵ振分多重部１２４は，ＳＮＩから入力されるデータの宛先がどのＯＮＵ宛か，また，そのＯＮＵがどのＯＳＵに接続されているかを識別し，該当するＯＳＵへ振り分けて出力しており，」「波長ごとに多チャンネルの４ｋ映像配信サービスを提供するＴＷＤＭ−ＰＯＮシステムにおいて，ＯＮＵ配下の加入者からの視聴リクエストをトリガ（契機）として，それまで受けていたデータ通信等のサービスを中断することなく，異なる波長で配信される映像チャンネルを受信することが可能となる」とされている。
　ここで，引用発明の「複数の光送受信器１３２（１３２−１〜１３２−ｎ）」，「ＯＳＵ振分多重部１２４」，「ＯＬＴ１００」が，それぞれ，本願発明１の「複数の光信号送受信装置」，「集線装置」，「光通信装置」に対応する。
　したがって，本願発明１と引用発明とは，「複数の光信号送受信装置と，集線装置とを有する光通信装置であ」る点で共通しているといえる。
イ　引用発明では，「多チャンネルの４ｋ映像を配信する際，波長λ１で１ｃｈ〜１００ｃｈ，波長λ２で１０１ｃｈ〜２００ｃｈを配信し，ＯＮＵ側で受信したい波長及びチャンネルを選択して映像を受信するといった映像配信サービスのようなブロードキャストサービスの提供中においても，パケットロスを発生させることなくＯＮＵとの接続を動的に変更可能なＯＬＴであって，」「ＯＳＵ２００−１から出力された信号は，光送受信器１３２−１に入力され，光送受信器１３２−１に割り付けられた送信波長で出力され，また光送受信器１３２−１に入力された光信号は，光送受信器１３２−１に割り付けられた受信波長のみが受信され，電気信号に変換された後，ＯＳＵ２００−１へ出力され」「ＯＮＵ３００は，上り制御信号受信部３０４，上り制御信号送信部３０６，下り制御信号受信部３０８，下り制御信号送信部３１０，ＯＮＵ制御部３０２，波長切替制御部３１２，及び波長可変光送受信器３１４を含んで構成されており，」「上り制御信号送信部３０６は，ＯＮＵ制御部３０２の指示により，波長切替応答メッセージおよび波長切替要求メッセージを生成し，上り制御信号受信部３０４から出力されるデータと多重して波長可変光送受信器３１４へ出力し」「下り制御信号受信部３０８は，波長可変光送受信器３１４から出力される信号を受信し，」ているとされている。
　ここで，引用発明の「ＯＮＵ３００」，「光送受信器」は，本願発明１の「通信先の装置である通信先装置」，「光信号送受信部」に対応する。
　また，引用発明において，各「光送受信器」「に割り付けられた送信波長」は，例えば，「波長λ１」や「波長λ２」のように互いに「異なる波長」を用いているといえる。
　したがって，本願発明１と引用発明とは，「光信号送受信装置」が「他の前記光信号送受信装置と異なる波長により，通信先の装置である通信先装置と光信号の送受信を行う光信号送受信部」「を備え」ている点で共通しているといえる。
ウ　引用発明において，「ＯＬＴ１００は，ＯＳＵ振分多重部１２４，複数の光送受信器１３２（１３２−１〜１３２−ｎ），複数のＯＳＵ２００（２００−１〜２００−ｎ），及びＯＬＴ制御部１４０を含んでおり，」「各光送受信器１３２と各ＯＳＵ２００とは１対１に接続され，ＯＳＵ２００−１から出力された信号は，光送受信器１３２−１に入力され，光送受信器１３２−１に割り付けられた送信波長で出力され，また光送受信器１３２−１に入力された光信号は，光送受信器１３２−１に割り付けられた受信波長のみが受信され，電気信号に変換された後，ＯＳＵ２００−１へ出力されており，ＯＳＵ振分多重部１２４は，ＳＮＩから入力されるデータの宛先がどのＯＮＵ宛か，また，そのＯＮＵがどのＯＳＵに接続されているかを識別し，該当するＯＳＵへ振り分けて出力しており，すなわち，ＯＳＵ振分多重部１２４は，ＬＬＩＤ識別部１１０の機能とＯＳＵ振分部１２０の機能とを併せもっており，また各ＯＳＵから出力される上りデータを多重してＳＮＩへ出力して」いるとされている。
　ここで，引用発明において，「光送受信器１３２−１に入力された光信号は，光送受信器１３２−１に割り付けられた受信波長のみが受信され，電気信号に変換され」た「電気信号」は，本願発明１の「光信号送受信部が受信した前記光信号から取得したパケット」に対応するといえる。
　また，引用発明において，「ＯＳＵ振分多重部」が「該当するＯＳＵへ振り分けて出力し」た「データ」である「ＯＳＵ２００−１から出力された信号」が「光送受信器１３２−１に入力され，光送受信器１３２−１に割り付けられた送信波長で出力され」ることは，本願発明１の「集線装置から受信したパケットを光信号に設定して前記光信号送受信部から出力する」ことに対応するといえる。
　したがって，本願発明１と引用発明とは，「光信号送受信装置」が「前記光信号送受信部が受信した前記光信号から取得したパケットを前記集線装置に出力し，前記集線装置から受信したパケットを光信号に設定して前記光信号送受信部から出力する変換部」「を備え」ている点で共通しているといえる。
　しかし，本願発明１の「光信号送受信装置」が「前記通信先装置とネットワークとの間の通信制御に関する機能を前記集線装置において実行するために用いられる制御用情報を保持する情報保持部とを備え」るのに対して，引用発明の「光信号送受信装置」がこのような「情報保持部」を備えているのか明らかでない点で相違している。
エ　引用発明において，「ＯＳＵ振分多重部１２４は，ＳＮＩから入力されるデータの宛先がどのＯＮＵ宛か，また，そのＯＮＵがどのＯＳＵに接続されているかを識別し，該当するＯＳＵへ振り分けて出力しており，すなわち，ＯＳＵ振分多重部１２４は，ＬＬＩＤ識別部１１０の機能とＯＳＵ振分部１２０の機能とを併せもっており，また各ＯＳＵから出力される上りデータを多重してＳＮＩへ出力して」いるとされている。
　ここで，引用発明の「ＯＳＵ振分多重部１２４」の「ＳＮＩから入力されるデータ」を「ＯＳＵへ振り分けて出力し」たり，「各ＯＳＵから出力される上りデータを多重してＳＮＩへ出力し」たりする「ＯＳＵ振分部１２０の機能」は，本願発明１の「複数の前記光信号送受信装置から受信した前記パケットを集線して前記ネットワークに送信し，前記ネットワークから受信したパケットを複数の前記光信号送受信装置へ分離して出力する集線部」に対応するといえる。
　また，引用発明の「ＯＳＵ振分多重部１２４」の「ＳＮＩから入力されるデータの宛先がどのＯＮＵ宛か，また，そのＯＮＵがどのＯＳＵに接続されているかを識別」する「ＬＬＩＤ識別部１１０の機能」は，データの宛先を識別して，宛先にデータが届くよう制御する機能であるといえるから，本願発明１の「前記通信先装置と前記ネットワークとの間の通信制御に関する機能を実行する制御部」に対応するといえる。
　したがって，本願発明１と引用発明とは，「前記集線装置は，
　複数の前記光信号送受信装置から受信した前記パケットを集線して前記ネットワークに送信し，前記ネットワークから受信したパケットを複数の前記光信号送受信装置へ分離して出力する集線部と，
　前記通信先装置と前記ネットワークとの間の通信制御に関する機能を実行する制御部と」「を備え」ている点で共通しているといえる。
　しかし，本願発明１では，「集線装置」が「切替元の前記光信号送受信装置が用いる波長によるパケットの送受信を停止して切替先の前記光信号送受信装置が用いる波長によるパケットの送受信を行うよう制御する波長切替機能を有する外部制御装置から波長切替に関する指示を受信し，前記波長切替機能の一部を前記外部制御装置からのさらなる指示を受信せずに実行する波長切替機能部」を備えており，「前記波長切替機能部は，前記制御用情報を前記光信号送受信装置から読み出して記憶しておき，前記外部制御装置から波長切替の開始の指示を受信した場合に，切替元の前記光信号送受信装置から読み出して記憶していた前記制御用情報を，切替先の前記光信号送受信装置に書き込む」のに対して，引用発明では，「集線装置」がそのような「波長切替機能部」を備えていない点で相違している。
　なお，引用発明においても「波長切替」を行っているが，「通信先の装置である通信先装置」に対応する「ＯＳＵ２００」の「波長切替制御部３１２」が「波長可変光送受信器３１４の動作波長が，ＯＮＵ制御部３０２より通知された波長になるよう，波長可変光送受信器３１４の波長設定制御を行」うことである。つまり，引用発明は，「多チャンネルの４ｋ映像を配信する」「映像配信サービスのようなブロードキャストサービス」における「視聴」「チャンネル切替要求」に起因して，視聴を希望する「チャンネル」に対応するように，「ＯＳＵ２００」側で受信する「波長」を切り替えるものであり，視聴チャンネル切り替えを指示した視聴者以外の視聴者が「映像配信サービスのようなブロードキャストサービス」における当該切り替え元のチャンネルの視聴を継続できるためにも，「切替元の前記光信号送受信装置が用いる波長によるパケットの送受信を停止」することはないといえる。
　したがって，引用発明の「波長切替」は，「通信先の装置である通信先装置」に対応する「ＯＳＵ２００」の「波長切替制御部３１２」が「波長可変光送受信器３１４の動作波長が，ＯＮＵ制御部３０２より通知された波長になるよう，（ＯＳＵ２００の）波長可変光送受信器３１４の波長設定制御を行」うことであって，本願発明１のように，「切替元の前記光信号送受信装置が用いる波長によるパケットの送受信を停止して切替先の前記光信号送受信装置が用いる波長によるパケットの送受信を行うよう制御する波長切替」ではない。
（２）一致点・相違点
　本願発明１と，引用発明とは，以下アの点で一致し，以下イの点で相違する。
ア　一致点
「複数の光信号送受信装置と，集線装置とを有する光通信装置であって，
　前記光信号送受信装置は，
　他の前記光信号送受信装置と異なる波長により，通信先の装置である通信先装置と光信号の送受信を行う光信号送受信部と，
　前記光信号送受信部が受信した前記光信号から取得したパケットを前記集線装置に出力し，前記集線装置から受信したパケットを光信号に設定して前記光信号送受信部から出力する変換部と，を備え，
　前記集線装置は，
　複数の前記光信号送受信装置から受信した前記パケットを集線して前記ネットワークに送信し，前記ネットワークから受信したパケットを複数の前記光信号送受信装置へ分離して出力する集線部と，
　前記通信先装置と前記ネットワークとの間の通信制御に関する機能を実行する制御部と，を備えた
光通信装置。」
イ　相違点
（ア）　相違点１
　本願発明１の「光信号送受信装置」が「前記通信先装置とネットワークとの間の通信制御に関する機能を前記集線装置において実行するために用いられる制御用情報を保持する情報保持部とを備え」るのに対して，引用発明の「光信号送受信装置」がこのような「情報保持部」を備えているのか明らかでない点。
（イ）　相違点２
　本願発明１では，「集線装置」が「切替元の前記光信号送受信装置が用いる波長によるパケットの送受信を停止して切替先の前記光信号送受信装置が用いる波長によるパケットの送受信を行うよう制御する波長切替機能を有する外部制御装置から波長切替に関する指示を受信し，前記波長切替機能の一部を前記外部制御装置からのさらなる指示を受信せずに実行する波長切替機能部」を備えており，「前記波長切替機能部は，前記制御用情報を前記光信号送受信装置から読み出して記憶しておき，前記外部制御装置から波長切替の開始の指示を受信した場合に，切替元の前記光信号送受信装置から読み出して記憶していた前記制御用情報を，切替先の前記光信号送受信装置に書き込む」のに対して，引用発明では，「集線装置」がそのような「波長切替機能部」を備えていない点。
（３）相違点についての判断
　事案に鑑みて，まず，相違点２について検討する。
ア　上記（１）エで述べたように，引用発明の「波長切替」は，「通信先の装置である通信先装置」に対応する「ＯＳＵ２００」の「波長切替制御部３１２」が「波長可変光送受信器３１４の動作波長が，ＯＮＵ制御部３０２より通知された波長になるよう，（ＯＳＵ２００の）波長可変光送受信器３１４の波長設定制御を行」うことであり，つまり，引用発明は，「多チャンネルの４ｋ映像を配信する」「映像配信サービスのようなブロードキャストサービス」における「視聴」「チャンネル切替要求」に起因して，視聴を希望する「チャンネル」に対応するように，「ＯＳＵ２００」側で受信する「波長」を切り替えるものであり，視聴チャンネル切り替えを指示した視聴者以外の視聴者が「映像配信サービスのようなブロードキャストサービス」における当該切り替え元のチャンネルの視聴を継続できるためにも，「切替元の前記光信号送受信装置が用いる波長によるパケットの送受信を停止」することはないといえるから，本願発明１のように，「切替元の前記光信号送受信装置が用いる波長によるパケットの送受信を停止して切替先の前記光信号送受信装置が用いる波長によるパケットの送受信を行うよう制御する」動機付けはないといえる。
イ　また，引用文献２記載技術では，上記第４の３で述べたように，波長切替を用いた高信頼化技術が開示されているものの，ＣＴ故障時に，故障ＣＴ配下のＯＮＵを，同一ＯＳＵ内の別波長ＣＴ配下となるよう，ＯＮＵの波長切替を行うことで高信頼化を図っていることが開示されているにとどまり，本願発明１のように「波長切替機能部は，前記制御用情報を前記光信号送受信装置から読み出して記憶しておき，前記外部制御装置から波長切替の開始の指示を受信した場合に，切替元の前記光信号送受信装置から読み出して記憶していた前記制御用情報を，切替先の前記光信号送受信装置に書き込む」ことについては，記載も示唆も無い。
ウ　そして，引用文献３記載技術では，上記第４の４で述べたように，波長切替について，記載も示唆も無い。
エ　また，引用文献４記載技術では，上記第４の５で述べたように，「制御装置１２のＯＬＴ切り替えのフローにおいて，ＯＬＴ１０ａで障害が発生した際，制御装置１２は，ＯＬＴ１０ａからの警告，又は，光パワーモニタ２６からの通知に従い，ＯＬＴ１０ａの障害発生を検出すると（Ｓ１），ＯＬＴ１０ａにＲＡＭ５４に保存されている管理情報の転送を要求し，ＯＬＴ１０ａからの管理情報を記憶装置１３に格納し，」「光スイッチ２０及び電気スイッチ３０を，ＯＬＴ１０ａから予備のＯＬＴ１０ｄに切り替え，記憶装置１３に格納したＯＬＴ１０ａからの管理情報を予備のＯＬＴ１０ｄに転送し（Ｓ５），引き継ぎをＯＬＴ１０ｄに指示し，予備のＯＬＴ１０ｄのＣＰＵ４６は，制御装置１２からの管理情報をＲＡＭ５４に格納し，この管理情報を使って，ＯＮＵ１８ａ−１〜１８ａ−ｎの管理と，ＯＮＵ１８ａ−１〜１８ａ−ｎと上位ネットワーク間の通信の仲介を引き継ぐ光終端システム」が開示され，障害が発生したＯＬＴから予備のＯＬＴへ引き継ぐ際に，管理情報をＲＡＭに格納して利用することが開示されているに過ぎない。
　よって，引用発明に，引用文献４記載技術を適用しても，障害が発生したＯＬＴから予備のＯＬＴへ引き継ぐ際に，管理情報をＲＡＭに格納して利用する構成となるにとどまり，本願発明１の相違点２に係る「集線装置」が「切替元の前記光信号送受信装置が用いる波長によるパケットの送受信を停止して切替先の前記光信号送受信装置が用いる波長によるパケットの送受信を行うよう制御する波長切替機能を有する外部制御装置から波長切替に関する指示を受信し，前記波長切替機能の一部を前記外部制御装置からのさらなる指示を受信せずに実行する波長切替機能部」を備えており，「前記波長切替機能部は，前記制御用情報を前記光信号送受信装置から読み出して記憶しておき，前記外部制御装置から波長切替の開始の指示を受信した場合に，切替元の前記光信号送受信装置から読み出して記憶していた前記制御用情報を，切替先の前記光信号送受信装置に書き込む」構成には，至らない。
オ　以上ア〜エより，引用発明において，本願発明１の相違点２に係る「集線装置」が「切替元の前記光信号送受信装置が用いる波長によるパケットの送受信を停止して切替先の前記光信号送受信装置が用いる波長によるパケットの送受信を行うよう制御する波長切替機能を有する外部制御装置から波長切替に関する指示を受信し，前記波長切替機能の一部を前記外部制御装置からのさらなる指示を受信せずに実行する波長切替機能部」を備える構成とする動機付けはなく，仮に，引用発明に，引用文献２ないし４に記載の技術を適用したとしても，本願発明１の相違点２に係る「集線装置」が「切替元の前記光信号送受信装置が用いる波長によるパケットの送受信を停止して切替先の前記光信号送受信装置が用いる波長によるパケットの送受信を行うよう制御する波長切替機能を有する外部制御装置から波長切替に関する指示を受信し，前記波長切替機能の一部を前記外部制御装置からのさらなる指示を受信せずに実行する波長切替機能部」を備えており，「前記波長切替機能部は，前記制御用情報を前記光信号送受信装置から読み出して記憶しておき，前記外部制御装置から波長切替の開始の指示を受信した場合に，切替元の前記光信号送受信装置から読み出して記憶していた前記制御用情報を，切替先の前記光信号送受信装置に書き込む」構成には，至らないから，当業者は本願発明１の相違点２に係る構成を容易に想到することができない。
（４）小括
　したがって，上記相違点１について判断するまでもなく，本願発明１は，引用発明および引用文献２ないし４記載技術に基づいて，当業者が容易に発明できたものであるとはいえない。
２　本願発明２および本願発明３について
　本願発明２および本願発明３は，いずれも，本願発明１と同一の構成を備えるものであるから，本願発明１と同じ理由により，引用発明および引用文献２ないし４記載技術に基づいて，当業者が容易に発明できたものであるとはいえない。
３　本願発明４について
（１）一致点・相違点
ア　一致点
　本願発明４は，以下の点（ア）および（イ）を除いて，本願発明１と同一の構成を備えており，本願発明４と引用発明との一致点は，本願発明１と引用発明との一致点と同一である。
（ア）　本願発明１では，「光信号送受信装置」が「前記通信先装置とネットワークとの間の通信制御に関する機能を前記集線装置において実行するために用いられる制御用情報を保持する情報保持部」を備えている（上記１（２）イ（ア）相違点１に係る構成）のに対して，本願発明４では，このような「情報保持部」を備えていない点。
（イ）本願発明１では，「前記波長切替機能部は，前記制御用情報を前記光信号送受信装置から読み出して記憶しておき，前記外部制御装置から波長切替の開始の指示を受信した場合に，切替元の前記光信号送受信装置から読み出して記憶していた前記制御用情報を，切替先の前記光信号送受信装置に書き込む」構成要件（この点は，上記１（２）イ（イ）相違点２に係る構成要件の後半部分）であるのに対して，本願発明４では，「前記波長切替機能部は，切替元の前記光信号送受信装置へ出力する前記パケットをバッファに書き込む処理と，前記通信先装置に波長切替指示を送信し，前記波長切替指示に対する応答を前記通信先装置から受信した場合に，前記バッファに記憶された前記パケットを切替先の前記光信号送受信装置に出力する処理と，前記バッファに記憶された前記パケットを切替先の前記光信号送受信装置に出力した後に，切替が終了したことを通知する処理とを行う」構成要件となっている点。
イ　相違点
　本願発明４では，「集線装置」が「切替元の前記光信号送受信装置が用いる波長によるパケットの送受信を停止して切替先の前記光信号送受信装置が用いる波長によるパケットの送受信を行うよう制御する波長切替機能を有する外部制御装置から波長切替に関する指示を受信し，前記波長切替機能の一部を前記外部制御装置からのさらなる指示を受信せずに実行する波長切替機能部とを備え，前記波長切替機能部は，切替元の前記光信号送受信装置へ出力する前記パケットをバッファに書き込む処理と，前記通信先装置に波長切替指示を送信し，前記波長切替指示に対する応答を前記通信先装置から受信した場合に，前記バッファに記憶された前記パケットを切替先の前記光信号送受信装置に出力する処理と，前記バッファに記憶された前記パケットを切替先の前記光信号送受信装置に出力した後に，切替が終了したことを通知する処理とを行う」のに対して，引用発明では，「集線装置」がそのような「波長切替機能部」を備えていない点。
（２）相違点についての判断
ア　上記１（３）アで述べたように，本願発明１と同様に，本願発明４についても，引用発明において，「切替元の前記光信号送受信装置が用いる波長によるパケットの送受信を停止して切替先の前記光信号送受信装置が用いる波長によるパケットの送受信を行うよう制御する」動機付けはないといえる。
イ　また，引用文献２ないし４には，いずれも，本願発明４の「前記波長切替機能部は，切替元の前記光信号送受信装置へ出力する前記パケットをバッファに書き込む処理と，前記通信先装置に波長切替指示を送信し，前記波長切替指示に対する応答を前記通信先装置から受信した場合に，前記バッファに記憶された前記パケットを切替先の前記光信号送受信装置に出力する処理と，前記バッファに記憶された前記パケットを切替先の前記光信号送受信装置に出力した後に，切替が終了したことを通知する処理とを行う」構成は，開示も示唆もない。
ウ　以上から，引用発明において，本願発明４の相違点に係る「集線装置」が「切替元の前記光信号送受信装置が用いる波長によるパケットの送受信を停止して切替先の前記光信号送受信装置が用いる波長によるパケットの送受信を行うよう制御する波長切替機能を有する外部制御装置から波長切替に関する指示を受信し，前記波長切替機能の一部を前記外部制御装置からのさらなる指示を受信せずに実行する波長切替機能部」を備える構成とする動機付けはなく，仮に，引用発明に，引用文献２ないし４に記載の技術を適用したとしても，本願発明４の相違点に係る「集線装置」が「切替元の前記光信号送受信装置が用いる波長によるパケットの送受信を停止して切替先の前記光信号送受信装置が用いる波長によるパケットの送受信を行うよう制御する波長切替機能を有する外部制御装置から波長切替に関する指示を受信し，前記波長切替機能の一部を前記外部制御装置からのさらなる指示を受信せずに実行する波長切替機能部」を備えており，「前記波長切替機能部は，切替元の前記光信号送受信装置へ出力する前記パケットをバッファに書き込む処理と，前記通信先装置に波長切替指示を送信し，前記波長切替指示に対する応答を前記通信先装置から受信した場合に，前記バッファに記憶された前記パケットを切替先の前記光信号送受信装置に出力する処理と，前記バッファに記憶された前記パケットを切替先の前記光信号送受信装置に出力した後に，切替が終了したことを通知する処理とを行う」構成には，至らないから，当業者は本願発明４の相違点に係る構成を容易に想到することができない。
（３）小括
　したがって，本願発明４は，引用発明および引用文献２ないし４記載技術に基づいて，当業者が容易に発明できたものであるとはいえない。
４　本願発明５および本願発明６について
　本願発明５および本願発明６は，いずれも，本願発明４と同一の構成を備えるものであるから，本願発明４と同じ理由により，引用発明および引用文献２ないし４記載技術に基づいて，当業者が容易に発明できたものであるとはいえない。
５　本願発明７について
　本願発明７は，本願発明１または本願発明４と同一の構成を備えるものであるから，本願発明１または本願発明４と同じ理由により，引用発明および引用文献２ないし４記載技術に基づいて，当業者が容易に発明できたものであるとはいえない。
５　本願発明８について
　本願発明８は，本願発明１の「光通信装置」から，本願発明８の「光通信装置に用いられる波長切替方法」へと，発明のカテゴリを単に変更したものに過ぎず，本願発明８は，本願発明１と同様の構成を備えるものであるから，本願発明１と同様の理由により，引用発明および引用文献２ないし４記載技術に基づいて，当業者が容易に発明できたものであるとはいえない。
第６　むすび
　以上のとおり，原査定の理由によっては，本願を拒絶することはできない。
　また，他に本願を拒絶すべき理由を発見しない。
　よって，結論のとおり審決する。